(57)【要約】【課題】ノイズフィルタを回路基板に実装した場合にコモンモードノイズを良好に抑制することを可能にする。【解決手段】ノイズフィルタ実装構造１００は、コモンモードノイズを抑制するためのノイズフィルタ１０１と、回路パターン１２０が設けられた回路基板１０２と、回路パターン１２０に電気的に接続された導電性を有する第１の接続部材１０３ａ及び第２の接続部材１０３ｂとを備える。第１の接続部材１０３ａと第２の接続部材１０３ｂとは、それぞれ、回路基板１０２の側方へ回路基板１０２よりも突き出て延びた第１の延出部１２３ａと第２の延出部とを含む。第１のコイル１１２ａの一方端子である出力端子１１３ａと第２のコイル１１２ｂの一方端子である出力端子１１３ｂとは、それぞれ、第１の延出部１２３ａと第２の延出部１２３ｂとに取り付けられている。【選択図】図１
2019161252.tif 000002
【特許請求の範囲】
【請求項１】
コモンモードノイズを抑制するためのノイズフィルタと、
回路パターンが設けられた回路基板と、
前記回路パターンに電気的に接続された導電性を有する第１の接続部材及び第２の接続部材とを備え、
前記ノイズフィルタは、
磁気コアと、
接地電位に接続される導電体と、
誘電体と、
少なくとも前記磁気コアに巻き回されて前記導電体及び前記誘電体とキャパシタを構成する第１のコイル及び第２のコイルとを含み、
前記第１の接続部材は、前記回路基板に取り付けられた第１の基板取付部と、前記回路基板の側方へ前記回路基板よりも突き出て延びた第１の延出部とを含み、
前記第２の接続部材は、前記回路基板に取り付けられた第２の基板取付部と、前記回路基板の側方へ前記回路基板よりも突き出て延びた第２の延出部とを含み、
前記第１のコイルの一方の端子と前記第２のコイルの一方の端子とは、それぞれ、前記第１の延出部と前記第２の延出部とに取り付けられている
ことを特徴とするノイズフィルタ実装構造。
【請求項２】
前記第１の延出部と前記第２の延出部との各々は、前記回路基板の外縁部よりも外方へ突き出て延びている
ことを特徴とする請求項１に記載のノイズフィルタ実装構造。
【請求項３】
前記回路基板は、前記ノイズフィルタが配置される配置領域に２つの主面間を貫通する開口部を有し、
前記第１の延出部と前記第２の延出部との各々は、前記開口部の内方へ突き出て延びている
ことを特徴とする請求項１に記載のノイズフィルタ実装構造。
【請求項４】
前記開口部は、前記第１のコイル及び前記第２のコイルが巻き回された前記磁気コア、前記導電体及び前記誘電体が通過する大きさを有する
ことを特徴とする請求項３に記載のノイズフィルタ実装構造。
【請求項５】
前記第１の接続部材と前記第２の接続部材との各々は、前記ノイズフィルタを支持する
ことを特徴とする請求項１から４のいずれか１項に記載のノイズフィルタ実装構造。
【請求項６】
前記回路パターンに電気的に接続された導電性を有する第３の接続部材をさらに備え、
前記ノイズフィルタは、前記導電体を接地電位にするために前記導電体に電気的に接続された接地端子をさらに含み、
前記第３の接続部材は、前記回路基板に取り付けられた第３の基板取付部と、前記回路基板の側方へ前記回路基板よりも突き出て延びて前記接地端子が取り付けられた第３の延出部とを含んで、前記ノイズフィルタを支持する
ことを特徴とする請求項１から５のいずれか１項に記載のノイズフィルタ実装構造。
【請求項７】
前記ノイズフィルタは、
前記導電体を接地電位にするために前記導電体に電気的に接続された接地端子と、
前記回路基板に取り付けられた台座部材とをさらに含み、
前記台座部材は、
前記磁気コア、前記第１のコイル、前記第２のコイル、前記誘電体及び前記導電体が取り付けられた台座部と、
当該台座部から突き出ており、前記回路基板に取り付けられた突出部とを含む
ことを特徴とする請求項１から５のいずれか１項に記載のノイズフィルタ実装構造。
【請求項８】
前記接地端子は、前記突出部に設けられており、前記回路パターンに電気的に接続されている
ことを特徴等する請求項７に記載のノイズフィルタ実装構造
【請求項９】
コモンモードノイズを抑制するためのノイズフィルタと、
回路パターンが設けられた回路基板とを備え、
前記ノイズフィルタは、
磁気コアと、
接地電位に接続される導電体と、
誘電体と、
少なくとも前記磁気コアに巻き回されて前記導電体及び前記誘電体とキャパシタを構成する第１のコイル及び第２のコイルとを含み、
前記第１のコイルの一方の端子と前記第２のコイルの一方の端子とは、前記回路基板の外縁部の近傍に取り付けられている
ことを特徴とするノイズフィルタ実装構造。
【請求項１０】
前記ノイズフィルタは、
前記導電体を接地電位にするために前記導電体に電気的に接続された接地端子と、
前記回路基板に取り付けられた台座部材とをさらに含み、
前記台座部材は、
前記磁気コア、前記第１のコイル、前記第２のコイル、前記誘電体及び前記導電体が取り付けられる台座部と、
当該台座部から突き出ており、前記回路基板に取り付けられた突出部とを含み、
前記接地端子は、前記突出部に設けられており、前記回路パターンに電気的に接続されている
ことを特徴とする請求項９に記載のノイズフィルタ実装構造。
【請求項１１】
コモンモードノイズを抑制するためのノイズフィルタと、
回路パターンが設けられた回路基板とを備え、
前記ノイズフィルタは、
磁気コアと、
接地電位に接続される導電体と、
誘電体と、
少なくとも前記磁気コアに巻き回されて前記導電体及び前記誘電体とキャパシタを構成する第１のコイル及び第２のコイルとを含み、
前記回路基板は、前記ノイズフィルタが配置される配置領域に２つの主面間を貫通する開口部を含み、
前記第１のコイルの一方の端子と前記第２のコイルの一方の端子とは、前記回路基板の前記開口部の近傍に取り付けられている
ことを特徴とするノイズフィルタ実装構造。
【発明の詳細な説明】
【技術分野】
【０００１】
本発明は、ノイズフィルタ実装構造に関する。
【背景技術】
【０００２】
電力変換装置などの入力配線又は出力配線に、ノイズ抑制のためのノイズフィルタが設けられることがある。ノイズには、一般的に、ノーマルモードノイズとコモンモードノイズとがある。ノーマルモードノイズとは、電源配線間（すなわち、入力配線間又は出力配線間）に生じるノイズであり、ディファレンシャルモードノイズとも言われる。コモンモードノイズとは、電源配線とは別の接地電位と電源配線との間に生じるノイズである。
【０００３】
特許文献１には、コモンモードノイズを抑制するためのインダクタンス素子が開示されている。特許文献１に開示されたコモンモード用のインダクタンス素子は、磁気コアと、２つのコイルと、各コイルの少なくとも一部に接触又は近接して設けられた誘電体と、コイル及び誘電体とキャパシタを形成する導電体とを備える。
【０００４】
特許文献１に記載のインダクタンス素子では、磁気コアと導電体とは電気的に絶縁される。誘電体は所定の肉厚を有する。コイルの各々は、少なくとも磁気コア、導電体及び誘電体に被覆導線を巻き回して形成される。導電体は、そこから引き出された接地端子を通じて接地される。
【０００５】
このようなインダクタンス素子では、コイルの各々と接地電位の導電体との間に容量が形成され、これによって、コイルを形成する被覆導線間に生じる巻線容量の一部が打ち消される。その結果、高周波数帯域においても減衰特性が劣化し難くなり、比較的広い周波数帯で良好な減衰特性を得ることができる。
【０００６】
ところで、特許文献１に記載のインダクタンス素子が回路基板に実装される場合、一般的に、回路基板に設けられた貫通孔を通じて突き出た入力端子、出力端子、接地端子の各々の先端が回路基板に半田付けされる。ここでの入力端子と出力端子とは、それぞれ、コイルの各々を構成する被覆導線の一端と他端である。
【０００７】
詳細には、インダクタンス素子は一般的に、次のような構造で回路基板に実装される。
【０００８】
回路基板は、回路パターンが設けられた回路面と、その反対面にインダクタンス素子が配置される配置領域を有する。配置領域には、インダクタンス素子の入力端子、出力端子、接地端子の各々を挿設するための貫通孔が設けられる。また、これらの各端子は、回路基板の厚さよりも長い。そのため、端子のそれぞれを対応する貫通孔に挿し入れてインダクタンス素子が配置領域に配置されると、各端子の先端部が回路面から突き出す。そして、回路面から突き出した各端子の先端部が回路面に半田付けされる。これによって、各端子が回路パターンに電気的に接続されて、インダクタンス素子が回路基板に固定される。
【先行技術文献】
【特許文献】
【０００９】
【特許文献１】特許５２１６２６５号公報
【発明の概要】
【発明が解決しようとする課題】
【００１０】
しかしながら、回路パターンが設けられた一般的な回路基板に上述のような構造により実装されたインダクタンス素子によるノイズ抑制効果は、インダクタンス素子単体でのコモンモード特性から期待されるよりも小さくなることがある。ここで、インダクタンス素子単体でのコモンモード特性は、回路基板に実装していないインダクタンス素子についてのコモンモードノイズの減衰特性を意味する。インダクタンス素子単体でのコモンモード特性は、例えば、試作品での試験、シミュレーションにより求められる。
【００１１】
一般的なノイズフィルタには、上述のインダクタンス素子とは異なり、接地電位の導電体を備えないものもある。上述の実装構造を採用することによるノイズ抑制効果の劣化は、接地電位の導電体を備えるコモンモード用のノイズフィルタで顕著になる。
【００１２】
本発明は、上述の事情に鑑みてなされたもので、ノイズフィルタを回路基板に実装した場合にコモンモードノイズを良好に抑制することが可能なノイズフィルタ実装構造を提供することを目的とする。
【課題を解決するための手段】
【００１３】
上記目的を達成するため、本発明の第１の観点に係るノイズフィルタ実装構造は、
コモンモードノイズを抑制するためのノイズフィルタと、
回路パターンが設けられた回路基板と、
前記回路パターンに電気的に接続された導電性を有する第１の接続部材及び第２の接続部材とを備え、
前記ノイズフィルタは、
磁気コアと、
接地電位に接続される導電体と、
誘電体と、
少なくとも前記磁気コアに巻き回されて前記導電体及び前記誘電体とキャパシタを構成する第１のコイル及び第２のコイルとを含み、
前記第１の接続部材は、前記回路基板に取り付けられた第１の基板取付部と、前記回路基板の側方へ前記回路基板よりも突き出て延びた第１の延出部とを含み、
前記第２の接続部材は、前記回路基板に取り付けられた第２の基板取付部と、前記回路基板の側方へ前記回路基板よりも突き出て延びた第２の延出部とを含み、
前記第１のコイルの一方の端子と前記第２のコイルの一方の端子とは、それぞれ、前記第１の延出部と前記第２の延出部とに取り付けられている。
【００１４】
本発明の第２の観点に係るノイズフィルタ実装構造は、
コモンモードノイズを抑制するためのノイズフィルタと、
回路パターンが設けられた回路基板とを備え、
前記ノイズフィルタは、
磁気コアと、
接地電位に接続される導電体と、
誘電体と、
少なくとも前記磁気コアに巻き回されて前記導電体及び前記誘電体とキャパシタを構成する第１のコイル及び第２のコイルとを含み、
前記第１のコイルの一方の端子と前記第２のコイルの一方の端子とは、前記回路基板の外縁部の近傍に取り付けられている
【００１５】
本発明の第３の観点に係るノイズフィルタ実装構造は、
コモンモードノイズを抑制するためのノイズフィルタと、
回路パターンが設けられた回路基板とを備え、
前記ノイズフィルタは、
磁気コアと、
接地電位に接続される導電体と、
誘電体と、
少なくとも前記磁気コアに巻き回されて前記導電体及び前記誘電体とキャパシタを構成する第１のコイル及び第２のコイルとを含み、
前記回路基板は、前記ノイズフィルタが配置される配置領域に２つの主面間を貫通する開口部を含み、
前記第１のコイルの一方の端子と前記第２のコイルの一方の端子とは、前記回路基板の前記開口部の近傍に取り付けられている
【発明の効果】
【００１６】
本発明によれば、ノイズフィルタを回路基板に実装した場合にコモンモードノイズを良好に抑制することが可能になる。
【図面の簡単な説明】
【００１７】
【図１】本発明の実施の形態１に係るノイズフィルタ実装構造を示す図であって、（ａ）は平面図であり、（ｂ）は左側面図である。
【図２】実施の形態１に係るフィルタ素子を示す図であって、（ａ）は平面図であり、（ｂ）は右側面図であり、（ｃ）は左側面図である。
【図３】実施の形態１及び変形例１に係るノイズフィルタのコモンモード減衰特性の例を比較例とともに示す図である。
【図４】比較例に係るノイズフィルタ実装構造の左側面図である。
【図５】変形例４〜９に係るフィルタ素子の平面図である。
【図６】変形例１０に係るノイズフィルタ実装構造の平面図である。
【図７】変形例１１に係るノイズフィルタ実装構造の平面図である。
【図８】本発明の実施の形態２に係るノイズフィルタ実装構造を示す図であって、（ａ）は平面図であり、（ｂ）は左側面図である。
【図９】変形例１２に係るノイズフィルタ実装構造の平面図である。
【図１０】変形例１３に係るノイズフィルタ実装構造の平面図である。
【図１１】本発明の実施の形態３に係るフィルタ実装構造を示す図であって、（ａ）は平面図であり、（ｂ）は左側面図である。
【図１２】変形例１４に係るノイズフィルタ実装構造の平面図である。
【図１３】変形例１５に係るノイズフィルタ実装構造の平面図である。
【発明を実施するための形態】
【００１８】
以下、本発明の実施の形態について、図面を参照しつつ説明する。全図を通じて同一の要素には同一の符号を付す。また、本発明の実施の形態の説明及び図面では、上・下・前・後・右・左の用語を用いるが、これらは、方向を説明するために用いるのであって、本発明を限定する趣旨ではない。
【００１９】
（実施の形態１）
本発明の実施の形態１に係るノイズフィルタ実装構造１００は、図１に示すように、ノイズフィルタ１０１が回路基板１０２に実装された構造体である。ここで、図１の（ａ）はノイズフィルタ実装構造１００の平面図であり、（ｂ）ノイズフィルタ実装構造１００の左側面図である。
【００２０】
ノイズフィルタ実装構造１００は、ノイズフィルタ１０１と、回路基板１０２と、第１の接続部材１０３ａと、第２の接続部材１０３ｂと、第３の接続部材１０３ｃとを備える。
【００２１】
以下において、第１〜第３の接続部材１０３ａ，１０３ｂ，１０３ｃを特に区別しない場合、接続部材１０３とも表記する。
【００２２】
ノイズフィルタ１０１は、コモンモードノイズを抑制するためのフィルタである。ノイズフィルタ１０１は、例えば、電力を供給するための電源配線１０４ａ，１０４ｂを介して電力変換装置（図示せず）に接続される。コモンモードノイズとは、接地電位と電源配線１０４ａ，１０４ｂの各々との間に生じるノイズである。
【００２３】
ノイズフィルタ１０１は、図１に示すように、フィルタ素子１０５と、台座部材１０６と、固定部材１０７とを含む。
【００２４】
フィルタ素子１０５は、コモンモードノイズを抑制するための素子である。本実施の形態に係るフィルタ素子１０５は、図２に示すように、磁気コア１０８と、２つの導電体１０９ａ，１０９ｂと、２つの接地端子１１０ａ，１１０ｂと、誘電体としての絶縁ケース１１１と、第１のコイル１１２ａと、第２のコイル１１２ｂとを含む。
【００２５】
以下において、２つの接地端子１１０ａ，１１０ｂを特に区別しない場合、接地端子１１０とも表記する。
【００２６】
ここで、図２の（ａ）はフィルタ素子１０５の平面図であり、（ｂ）はフィルタ素子１０５の右側面図であり、（ｃ）はフィルタ素子１０５の左側面図である。
【００２７】
磁気コア１０８は、トロイダル形状或いは筒状の磁性体であり、例えばフェライトを材料とする。トロイダル形状は、円形、矩形などの適宜の形状を軸を中心に回転させることによって得られる形状であって、ドーナツ状の円環をなす。
【００２８】
導電体１０９ａ，１０９ｂの各々は、磁気コア１０８の中心から見て、磁気コア１０８よりも外方に配置された導電性の部材である。導電体１０９ａ，１０９ｂは、それぞれ、磁気コア１０８の右半分及び左半分の外方に配置されている。導電体１０９ａ，１０９ｂの各々は、例えば、磁気コア１０８の形状に沿って湾曲した金属製の箔、薄板などである。
【００２９】
接地端子１１０ａ，１１０ｂは、それぞれ、導電体１０９ａ，１０９ｂを接地電位にするための端子である。接地端子１１０ａ，１１０ｂの一端は、導電体１０９ａ，１０９ｂに電気的に接続されている。これにより、導電体１０９ａ，１０９ｂは、それぞれ、接地端子１１０ａ，１１０ｂを介して接地電位に接続される。
【００３０】
絶縁ケース１１１は、樹脂などの絶縁性の材料で作られたケースである。絶縁ケース１１１は、その内部に、磁気コア１０８と導電体１０９ａ，１０９ｂの各々とを相互に離間させた状態で保持する。これにより、磁気コア１０８と導電体１０９ａ，１０９ｂとは、互いに電気的に絶縁されている。
【００３１】
なお、本実施の形態とは異なり、磁気コア１０８と導電体１０９ａ，１０９ｂとは電気的に互いに絶縁されていなくてもよい。
【００３２】
また、絶縁ケース１１１は、予め定められた肉厚を有しており、内部から外部へ貫通する孔を有する。接地端子１１０は、絶縁ケース１１１に設けられた孔を通じて、外部へ延びている。
【００３３】
第１のコイル１１２ａ及び第２のコイル１１２ｂの各々は、被覆導線から構成される。被覆導線とは、エナメル線、ウレタン線などのように、表面が絶縁材料で覆われた金属線である。
【００３４】
第１のコイル１１２ａ及び第２のコイル１１２ｂは、それぞれ、絶縁ケース１１１の左半分及び右半分に巻き回されている。これにより、本実施の形態では第１のコイル１１２ａと第２のコイル１１２ｂとは、磁気コア１０８に絶縁ケース１１１を介して巻き回されている。
【００３５】
また、第１のコイル１１２ａと第２のコイル１１２ｂとは、それぞれ、導電体１０９ａと導電体１０９ｂとにも、予め定められた肉厚を有する絶縁ケース１１１を介して巻き回されている。これにより、第１のコイル１１２ａ及び第２のコイル１１２ｂのそれぞれと導電体１０９ａ，１０９ｂとは、誘電体としての絶縁ケース１１１とともにキャパシタを構成する。
【００３６】
第１のコイル１１２ａは、これを構成する被覆導線の各端部に、内部の金属が露出した出力端子１１３ａと入力端子１１４ａとを含む。第２のコイル１１２ｂも同様に、これを構成する被覆導線の各端部に、被覆導線の内部の金属が露出した出力端子１１３ｂと入力端子１１４ｂとを含む。出力端子１１３ａ，１１３ｂ及び入力端子１１４ａ，１１４ｂの各々は、例えば、表面を覆う絶縁材料を剥ぎ取られることによって設けられる。
【００３７】
本実施の形態では、出力端子１１３ａ，１１３ｂは前方に配置されており、入力端子１１４ａ，１１４ｂは後方に配置されている。また、入力端子１１４ａ，１１４ｂは、それぞれ、電力変換装置（図示せず）に接続された電源配線１０４ａ，１０４ｂに接続されている。
【００３８】
なお、入力端子１１４ａ，１１４ｂには、電源配線１０４ａ，１０４ｂに代えて、信号を伝えるための信号配線が接続されてもよい。また、電源配線１０４ａ，１０４ｂ又は信号配線には、電力変換装置に代わる他の装置、回路基板１０２とは異なる他の回路基板などが接続されてもよい。
【００３９】
図１を再び参照する。
台座部材１０６は、フィルタ素子１０５が取り付けられる部材であって、台座部１１５と突出部１１６とを含む。
【００４０】
台座部１１５は、平板状の部位であって、フィルタ素子１０５が取り付けられる。台座部１１５は、出力端子１１３ａ、出力端子１１３ｂ、入力端子１１４ａ及び入力端子１１４ｂのそれぞれが下方へ突き出すように挿設された貫通孔１１７ａ，１１７ｂ，１１７ｃ，１１７ｄを有する。
【００４１】
突出部１１６は、台座部１１５から前方に突き出た部位である。突出部１１６は、接地端子１１０が下方へ突き出すように挿設された貫通孔１１７ｅを有する。
【００４２】
固定部材１０７は、フィルタ素子１０５を台座部材１０６に固定するための部材であって、抑え部１１８と２つの固定部１１９とを含む。
【００４３】
抑え部１１８は、絶縁ケース１１１の上方にて、第１のコイル１１２ａと第２のコイル１１２ｂとの間で概ね前後方向に延在している。
【００４４】
固定部１１９は、抑え部１１８の前後の各端部から下方に延びる部位である。固定部１１９の下端部は、台座部材１０６に設けられる穴に嵌合して固定されている。なお、固定部１１９の下端部は、接着、爪の係わり合いなどによって台座部材１０６に固定されてもよい。
【００４５】
本実施の形態では、台座部材１０６と固定部材１０７とによりフィルタ素子１０５が一体的に保持される。
【００４６】
なお、ノイズフィルタ１０１は、台座部材１０６と固定部材１０７とを備えなくてもよく、例えばフィルタ素子１０５のみで構成されてもよい。この場合、フィルタ素子１０５は、例えば第１のコイル１１２ａと第２のコイル１１２ｂとの各々が絶縁ケース１１１に、接着剤で接着されることなどにより一体的に保持されるとよい。
【００４７】
回路基板１０２は、回路パターン１２０が一面（本実施の形態では下面）に設けられた基板であって、２つのネジ端子１２１ａ，１２１ｂを含む。
【００４８】
なお、図１（ｂ）では分かり易くするため、回路パターン１２０が下面の全体にすき間なく設けられるように表している。回路パターン１２０が設計上に従った配線を構成するように適宜の形状で設けられることはもちろんである。
【００４９】
ネジ端子１２１ａ，１２１ｂの各々は、図１（ａ）に示すように、回路基板１０２の上面において外縁部から予め定められた距離離れた位置に設けられている。ネジ端子１２１ａ，１２１ｂの各々は、回路パターン１２０に電気的に接続されている。
【００５０】
接続部材１０３の各々は、回路基板１０２とノイズフィルタ１０１とに取り付けられる部材であって、導電性を有する。本実施の形態に係る接続部材１０３の各々は、強度を有するバスバーなどにより構成され、回路基板１０２に対してノイズフィルタ１０１を構造的に支持する。
【００５１】
本実施の形態に係る接続部材１０３の各々は、回路基板１０２から側方へ突き出して延びている。側方とは、回路基板１０２の主面と平行な方向を意味する。本実施の形態では接続部材１０３の各々は、回路基板１０２から後方へ突き出して延びている。
【００５２】
詳細には、第１の接続部材１０３ａは、回路基板１０２と第１のコイル１１２ａとに取り付けられて、回路パターン１２０と第１のコイル１１２ａとを互いに電気的に接続する。第１の接続部材１０３ａは、第１の基板取付部１２２ａと第１の延出部１２３ａとを含む。
【００５３】
第１の基板取付部１２２ａは、回路基板１０２に取り付けられる部位であって、上下方向に貫通した孔を有する。第１の基板取付部１２２ａの孔に挿設されたネジ１２４ａがネジ端子１２１ａとネジ構造で係合することによって、第１の基板取付部１２２ａは回路基板１０２に固定されるとともに回路パターン１２０に電気的に接続される。
【００５４】
第１の延出部１２３ａは、第１の基板取付部１２２ａと連続して設けられており、回路基板１０２の側方へ回路基板１０２よりも突き出て延びている。
【００５５】
本実施の形態では第１の延出部１２３ａは、回路基板１０２の外縁部よりも外方へ突き出して延びている。これにより、第１の延出部１２３ａは、回路基板１０２の主面に対して垂直な方向である上方から見て、回路基板１０２が存在しない領域に延在する。なお、図１では、第１の延出部１２３ａが回路基板１０２の後方の外縁部よりも後方へ突き出して延びる例を示している。
【００５６】
また、第１の延出部１２３ａには、第１のコイル１１２ａの一方の端子である出力端子１１３ａが半田付けなどにより取り付けられている。これにより、第１の接続部材１０３ａは、ノイズフィルタ１０１に対する位置が固定されるとともに、第１のコイル１１２ａに電気的に接続されている。
【００５７】
第２の接続部材１０３ｂは、回路基板１０２と第２のコイル１１２ｂとに取り付けられて、回路パターン１２０と第２のコイル１１２ｂとを互いに電気的に接続する。第２の接続部材１０３ｂは、第１の接続部材１０３ａと概ね同様の構成を備えており、第１のコイル１１２ａに代えて第２のコイル１１２ｂに取り付けた第１の接続部材１０３ａに相当する。
【００５８】
すなわち、第２の接続部材１０３ｂは、第２の基板取付部１２２ｂと第２の延出部１２３ｂとを含む。
【００５９】
第２の基板取付部１２２ｂは、第１の基板取付部１２２ａと同様に、回路基板１０２に取り付けられる部位であって、上下に貫通した孔を有する。第２の基板取付部１２２ｂの孔に挿設されたネジ１２４ｂがネジ端子１２１ｂとネジ構造で係合することによって、第２の接続部材１０３ｂは回路基板１０２に固定されるとともに回路パターン１２０に電気的に接続される。
【００６０】
第２の延出部１２３ｂは、第２の基板取付部１２２ｂと連続して設けられており、回路基板１０２の側方へ回路基板１０２よりも突き出て延びている。
【００６１】
本実施の形態では第２の延出部１２３ｂは、第１の延出部１２３ａと同様に、回路基板１０２の外縁部よりも外方へ突き出して延びている。これにより、本実施の形態に係る第２の延出部１２３ｂは、上方から見て回路基板１０２が存在しない領域に延在する。なお、図１（ａ）及び（ｂ）では、第２の延出部１２３ｂが回路基板１０２の後方の外縁部よりも後方へ突き出して延びる例を示している。
【００６２】
また、第２の延出部１２３ｂには、第２のコイル１１２ｂの一方の端子である出力端子１１３ｂが半田付けなどにより取り付けられている。これにより、第２の接続部材１０３ｂは、ノイズフィルタ１０１に対する位置が固定されるとともに、第２のコイル１１２ｂに電気的に接続されている。
【００６３】
第３の接続部材１０３ｃは、回路基板１０２と接地端子１１０とに取り付けられて、回路パターン１２０と接地端子１１０とを互いに電気的に接続する。第３の接続部材１０３ｃは、第３の基板取付部１２２ｃと第３の延出部１２３ｃとを含む。
【００６４】
第３の基板取付部１２２ｃは、回路基板１０２に取り付けられる部位である。本実施の形態に係る第３の基板取付部１２２ｃは、半田付けなどにより回路パターン１２０に取り付けられている。これにより、第３の基板取付部１２２ｃは、回路基板１０２に固定されるとともに回路パターン１２０に電気的に接続される。
【００６５】
第３の延出部１２３ｃは、第３の基板取付部１２２ｃと連続して設けられており、回路基板１０２の側方へ回路基板１０２よりも突き出て延びている。
【００６６】
本実施の形態では第３の延出部１２３ｃは、回路基板１０２の外縁部よりも外方へ突き出して延びており、これにより、第３の延出部１２３ｃは、上方から見て回路基板１０２が存在しない領域に延在する。なお、図１（ａ）及び（ｂ）では、第３の延出部１２３ｃが回路基板１０２の後方の外縁部よりも後方へ突き出して延びる例を示している。
【００６７】
また、第３の延出部１２３ｃには、半田付けなどにより接地端子１１０が取り付けられている。これにより、第３の接続部材１０３ｃは、ノイズフィルタ１０１に対する位置が固定されるとともに、導電体１０９ａ，１０９ｂに電気的に接続される。
【００６８】
なお、第１の接続部材１０３ａと第２の接続部材１０３ｂとは、本実施の形態とは異なり、半田付けなどによって回路パターン１２０に電気的に接続されるとともに回路基板１０２に固定されてもよい。また、第３の接続部材１０３ｃは、本実施の形態とは異なり、ネジ端子へのネジ止めによって、回路パターン１２０に電気的に接続されるとともに回路基板１０２に固定されてもよい。
【００６９】
これまで、本発明の実施の形態１に係るノイズフィルタ実装構造１００の構成を説明した。本実施の形態に係るノイズフィルタ実装構造１００の製造方法の一例を説明する。
【００７０】
ノイズフィルタ１０１、回路基板１０２、第１の接続部材１０３ａ、第２の接続部材１０３ｂ及び第３の接続部材１０３ｃを準備する。
【００７１】
第１の基板取付部１２２ａの孔に挿設したネジ１２４ａによって、第１の接続部材１０３ａをネジ端子１２１ａに取り付ける。第２の基板取付部１２２ｂの孔に挿設したネジ１２４ｂによって、第２の接続部材１０３ｂをネジ端子１２１ｂに取り付ける。
【００７２】
第１の接続部材１０３ａの第１の延出部１２３ａと第２の接続部材１０３ｂの第２の延出部１２３ｂとのそれぞれを、第１のコイル１１２ａの出力端子１１３ａと第２のコイル１１２ｂの出力端子１１３ｂに半田付けする。第３の基板取付部１２２ｃと第３の延出部１２３ｃとのそれぞれを、回路パターン１２０のうちの接地用の回路パターンと接地端子１１０とに半田付けする。
【００７３】
これにより、ノイズフィルタ実装構造１００が製造される。
【００７４】
本実施の形態に係るノイズフィルタ実装構造１００は、コモンモードノイズを抑制するためのノイズフィルタ１０１と、導電性を有する第１の接続部材１０３ａ及び第２の接続部材１０３ｂとを備える。第１の接続部材１０３ａ及び第２の接続部材１０３ｂの各々は、回路パターン１２０に電気的に接続されている。
【００７５】
そして、第１の接続部材１０３ａは、回路基板１０２に取り付けられた第１の基板取付部１２２ａと、回路基板１０２の側方へ回路基板１０２よりも突き出て延びた第１の延出部１２３ａとを含む。第１の延出部１２３ａには、第１のコイル１１２ａの出力端子１１３ａが取り付けられる。
【００７６】
また、第２の接続部材１０３ｂは、回路基板１０２に取り付けられた第２の基板取付部１２２ｂと、回路基板１０２の側方へ回路基板１０２よりも突き出て延びた第２の延出部１２３ｂとを含む。第２の延出部１２３ｂには、第２のコイル１１２ｂの出力端子１１３ｂが取り付けられる。
【００７７】
これにより、上方から見て回路基板１０２が存在しない領域にノイズフィルタ１０１を配置して、第１のコイル１１２ａと第２のコイル１１２ｂとの各々を回路パターン１２０に電気的に接続することができる。
【００７８】
ここで、ノイズフィルタ１０１のコモンモード減衰特性の例を図３に示す。図３に示す実線のグラフは、本実施の形態に係るノイズフィルタ実装構造１００を採用した場合のコモンモード減衰特性を表す。図３に示す２点鎖線のグラフは、比較例に係るノイズフィルタ実装構造を採用した場合のコモンモード減衰特性を表す。
【００７９】
図３の実線と２点鎖線のグラフを比較すると分かるように、本実施の形態に係るノイズフィルタ実装構造１００に比べて、比較例に係るノイズフィルタ実装構造ではノイズ抑制効果が劣化している。
【００８０】
図４は、比較例に係るノイズフィルタ実装構造の側面図である。比較例に係るノイズフィルタ実装構造では、本実施の形態とは異なり、ノイズフィルタ１０１の全体が回路基板１０２の上に配置されている。そして、ノイズフィルタ１０１の入力端子１１４ｂ、出力端子１１３ｂ、接地端子１１０ｂの各々は、回路基板１０２に設けられた孔に挿設されて回路パターン１２０に半田付けされている。また、図示していないが、ノイズフィルタ１０１の入力端子１１４ａ、出力端子１１３ａ、接地端子１１０ａの各々も、回路基板１０２に設けられた孔に挿設されて回路パターン１２０に半田付けされている。
【００８１】
回路基板１０２では回路パターン１２０が、回路基板１０２の一面に適宜の形状で設けられている。そのため、ノイズフィルタ１０１の動作時には、図４に点線で模式的に示すように回路パターン１２０間の容量結合が生じる。比較例に係るノイズフィルタ実装構造を採用した場合、ノイズフィルタ１０１の動作時に回路パターン１２０間の容量結合が生じ、この寄生容量の影響でノイズフィルタ１０１のノイズ抑制効果が劣化すると考えられる。
【００８２】
本実施の形態に係るノイズフィルタ実装構造１００では、上述の通り、上方から見て回路基板１０２が存在しない領域にノイズフィルタ１０１を配置して、第１のコイル１１２ａと第２のコイル１１２ｂとの各々を回路パターン１２０に電気的に接続することができる。そのため、ノイズフィルタ１０１の動作時における回路パターン１２０間の容量結合の影響を軽減し、ノイズ抑制効果の劣化を抑えることができる。従って、ノイズフィルタ１０１を回路基板１０２に実装した場合にコモンモードノイズを良好に抑制することが可能になる。
【００８３】
本実施の形態では第１の延出部１２３ａ及び第２の延出部１２３ｂの各々が、回路基板１０２の外縁部よりも外方へ突き出て延びている。これにより、一般的な回路基板１０２に容易に、上方から見て回路基板１０２が存在しない領域にノイズフィルタ１０１を配置することができる。従って、ノイズフィルタ１０１を回路基板１０２に実装した場合にコモンモードノイズを良好に抑制することが容易に可能になる。
【００８４】
本実施の形態では第１の接続部材１０３ａ及び第２の接続部材１０３ｂは、回路基板１０２に対してノイズフィルタ１０１を構造的に支持する。これにより、回路基板１０２に対するノイズフィルタ１０１の位置が固定されるので、ノイズフィルタ１０１と回路基板１０２と一体的に構成することができ、取り扱いが容易になる。
【００８５】
本実施の形態では第３の接続部材１０３ｃがさらに回路基板１０２に対してノイズフィルタ１０１を構造的に支持する。これにより、ノイズフィルタ１０１を回路基板１０２により強固に固定することができる。
【００８６】
（変形例１）
第１のコイル１１２ａ及び第２のコイル１１２ｂのそれぞれの一方の端子として、入力端子１１４ａ，１１４ｂが採用されてもよい。
【００８７】
変形例１に係るノイズフィルタ実装構造は、出力端子１１３ａ，１１３ｂに代えて入力端子１１４ａ，１１４ｂを一方の端子として採用する点を除いて、実施の形態１に係るノイズフィルタ実装構造１００と同様に構成されるとよい。
【００８８】
図３に示す点線のグラフは、変形例１に係るノイズフィルタ実装構造を採用した場合のコモンモード減衰特性の例を示す。図３を参照すると分かるように、変形例１によっても実施の形態１と同様に、ノイズフィルタ１０１を回路基板１０２に実装した場合にコモンモードノイズを良好に抑制することが可能になる。
【００８９】
（変形例２）
実施の形態１では接地端子１１０ａ，１１０ｂが第３の接続部材１０３ｃを介して回路基板に取り付けられる例を説明した。しかし、接地用の配線が回路基板１０２に設けられていない場合などには、第３の接続部材１０３ｃは設けられなくてもよい。この場合、接地端子１１０ａ，１１０ｂは、適宜の配線などを介して接地用の配線、部材などに電気的に接続されるとよい。
【００９０】
（変形例３）
例えば、接続部材１０３の各々は、ワイヤなどの可撓性を有する部材であってもよい。これによっても、上方から見て回路基板１０２が存在しない領域にノイズフィルタ１０１を配置することができる。従って、ノイズフィルタ１０１を回路基板１０２に実装した場合にコモンモードノイズを良好に抑制することが可能になる。
【００９１】
（変形例４〜９）
実施の形態１に係るフィルタ素子１０５の変形例を図５に示す。図５（ａ）〜（ｆ）は、それぞれ、変形例４〜９に係るフィルタ素子２０５，３０５，４０５，５０５，６０５，７０５の平面図を示す。変形例４〜９に係るフィルタ素子２０５，３０５，４０５，５０５，６０５，７０５の各々は、コモンモードノイズを抑制するためのフィルタ素子である。
【００９２】
変形例４に係るフィルタ素子２０５は、図５（ａ）に示すように、絶縁ケース１１１と、絶縁ケース１１１に保持された磁気コア１０８と、第１のコイル１１２ａ及び第２のコイル１１２ｂとを備える。第１のコイル１１２ａ及び第２のコイル１１２ｂは、それぞれ、絶縁ケース１１１の左半分及び右半分に巻き回されている。さらに、変形例４に係るフィルタ素子２０５は、第１のコイル１１２ａ及び第２のコイル１１２ｂの周囲に設けられた例えば樹脂製で円筒状の誘電体２２５と、誘電体２２５の外方に配置された導電体１０９ａ，１０９ｂとを備える。導電体１０９ａ，１０９ｂのそれぞれには、接地端子１１０ａ，１１０ｂが取り付けられている。
【００９３】
変形例５に係るフィルタ素子３０５は、図５（ｂ）に示すように、変形例４に係る導電体１０９ａ，１０９ｂに代えて、一体的に形成された導電体３０９を備える。導電体３０９には、接地端子３１０が取り付けられている。これらの点を除いて、変形例５に係るフィルタ素子３０５は、変形例４に係るフィルタ素子２０５と同様に構成される。
【００９４】
変形例６に係るフィルタ素子４０５は、図５（ｃ）に示すように、絶縁ケース１１１と、絶縁ケース１１１に保持された磁気コア１０８とを備える。フィルタ素子４０５では、絶縁ケース１１１の外方に導電体１０９ａ，１０９ｂが設けられ、導電体１０９ａ，１０９ｂの外方に誘電体２２５がさらに設けられている。第１のコイル１１２ａは、絶縁ケース１１１、導電体１０９ａ及び誘電体２２５に巻き回されている。また、第２のコイル１１２ｂは、絶縁ケース１１１、導電体１０９ｂ及び誘電体２２５に巻き回されている。導電体１０９ａ，１０９ｂのそれぞれには、接地端子１１０ａ，１１０ｂが取り付けられている。
【００９５】
変形例７に係るフィルタ素子５０５は、図５（ｄ）に示すように、変形例６に係る導電体１０９ａ，１０９ｂに代えて、一体的に形成された導電体３０９を備える。導電体３０９には、接地端子３１０が取り付けられている。これらの点を除いて、変形例７に係るフィルタ素子５０５は、変形例６に係るフィルタ素子４０５と同様に構成される。
【００９６】
変形例８に係るフィルタ素子６０５は、図５（ｅ）に示すように、絶縁ケース１１１と、絶縁ケース１１１に保持された磁気コア１０８及び導電体１０９ａ，１０９ｂとを備える。導電体１０９ａ，１０９ｂは、磁気コア１０８の内部に配置されている。第１のコイル１１２ａ及び第２のコイル１１２ｂは、それぞれ、導電体１０９ａ，１０９ｂに対応付けて、絶縁ケース１１１に巻き回されている。導電体１０９ａ，１０９ｂのそれぞれには、絶縁ケース１１１に設けられる孔を通じて配置された接地端子１１０ａ，１１０ｂが取り付けられている。
【００９７】
変形例９に係るフィルタ素子７０５は、図５（ｆ）に示すように、変形例８に係る導電体１０９ａ，１０９ｂに代えて、一体的に形成された導電体３０９を備える。導電体３０９には、接地端子３１０が取り付けられている。これらの点を除いて、変形例９に係るフィルタ素子７０５は、変形例８に係るフィルタ素子６０５と同様に構成される。
【００９８】
このように、コモンモードノイズを抑制するためのフィルタ素子は、磁気コアと、導電体と、誘電体と、第１のコイルと、第２のコイルとを備えればよい。そして、導電体は、適宜の方法で接地電位に接続されるとよい。第１のコイル及び第２のコイルは、少なくとも磁気コアに巻き回されて、導電体及び誘電体とキャパシタを構成すればよい。
【００９９】
このような構成を備えるフィルタ素子では、コイルと接地電位の導電体との間に容量が形成され、これによって、コイルを形成する被覆導線間に生じる巻線容量の一部が打ち消される。その結果、高周波数帯域においても減衰特性が劣化し難くなり、比較的広い周波数帯で良好なコモンモード減衰特性を得ることができる。
【０１００】
そのため、実施の形態１に係るフィルタ素子１０５に代えて、この変形例で説明したフィルタ素子を実施の形態１に係るノイズフィルタ実装構造１００に適用しても、実施の形態１と同様の効果を奏する。
【０１０１】
（変形例１０）
変形例１０に係るノイズフィルタ実装構造８００は、図６の平面図に示すように、回路基板１０２に代わる回路基板８０２を備える。この点を除いて、実施の形態１に係るノイズフィルタ実装構造１００と同様に構成される。
【０１０２】
回路基板８０２は、上方から見て回路基板８０２の内方へ突き出した切欠きを形成する切欠き部８３５を含む。この点を除いて、回路基板８０２は、実施の形態１に係る回路基板１０２と同様に構成されてよい。
【０１０３】
切欠き部８３５は、回路基板８０２の外縁部の一部を形成する。ノイズフィルタ１０１の少なくとも一部が、上方から見て、切欠き部８３５が形成する切欠きの中に配置される。
【０１０４】
本変形例によっても、上方から見て回路基板８０２が存在しない領域にノイズフィルタ１０１を配置して、第１のコイル１１２ａと第２のコイル１１２ｂとの各々を回路基板８０２に設けられた回路パターンに電気的に接続することができる。そのため、実施の形態１と同様に、ノイズフィルタ１０１を回路基板８０２に実装した場合にコモンモードノイズを良好に抑制することが可能になる。
【０１０５】
本変形例によれば、ノイズフィルタ１０１の少なくとも一部が上方から見て切欠き部８３５の中に配置される。これにより、ノイズフィルタ実装構造８００をコンパクトにすることができる。従って、ノイズフィルタ１０１を回路基板８０２にコンパクトに実装して、コモンモードノイズを良好に抑制することが可能になる。
【０１０６】
（変形例１１）
変形例１１に係るノイズフィルタ実装構造９００は、図７の平面図に示すように、実施の形態１の回路基板１０２に代わる回路基板９０２を備える。また、ノイズフィルタ実装構造９００は、実施の形態１の第１〜第３の接続部材１０３ａ，１０３ｂ，１０３ｃに代わる第１〜第３の接続部材９０３ａ，９０３ｂ，９０３ｃを備える。さらに、ノイズフィルタ実装構造９００は、第４の接続部材９０３ｄ及び第５の接続部材９０３ｅを備える。
【０１０７】
これらの点を除いて、ノイズフィルタ実装構造９００は、実施の形態１に係るノイズフィルタ実装構造１００と同様に構成される。
【０１０８】
以下において、第１〜第５の接続部材９０３ａ，９０３ｂ，９０３ｃ，９０３ｄ，９０３ｅを特に区別しない場合、接続部材９０３とも表記する。
【０１０９】
回路基板９０２は、開口部９３６と２つのネジ端子９２１ｄ，９２１ｅとをさらに含む。これらの点を除いて、回路基板９０２は、実施の形態１に係る回路基板１０２と同様に構成される。
【０１１０】
開口部９３６は、ノイズフィルタ１０１が配置される配置領域に２つの主面間を貫通する開口を形成する。開口部９３６は、少なくとも、第１のコイル１１２ａ及び第２のコイル１１２ｂが巻き回された絶縁ケース１１１が通過する大きさである。
【０１１１】
本変形例では、開口部９３６は、図７に示すようにノイズフィルタ１０１が通過する大きさであるので、上方から見て開口部９３６の中がノイズフィルタ１０１の配置領域となる。
【０１１２】
ネジ端子９２１ｄ，９２１ｅの各々は、回路基板９０２の上面に設けられており、回路基板９０２に設けられた回路パターンに電気的に接続されている。
【０１１３】
接続部材９０３の各々は、回路基板９０２とノイズフィルタ１０１とに取り付けられる部材であって、開口部９３６の内方へ突き出して延びている。この点を除いて、接続部材９０３の各々は、実施の形態１に係る接続部材１０３の各々と同様に構成される。
【０１１４】
詳細には、第１の接続部材９０３ａは、実施の形態１と同様の第１の基板取付部１２２ａと、実施の形態１とは異なる第１の延出部９２３ａとを含む。
【０１１５】
本変形例では第１の延出部９２３ａは、回路基板９０２の側方、より詳細には開口部９３６の内方へ突き出して延びている。これによって、第１の延出部９２３ａは、上方から見て回路基板１０２が存在しない領域に延在する。なお、図７では、第１の延出部９２３ａが開口部９３６の前方の外縁部よりも後方へ突き出して延びる例を示している。
【０１１６】
第２の接続部材９０３ｂは、実施の形態１と同様の第２の基板取付部１２２ｂと、実施の形態１とは異なる第２の延出部９２３ｂとを含む。
【０１１７】
本変形例では第２の延出部９２３ｂは、回路基板９０２の側方、より詳細には開口部９３６の内方へ突き出して延びている。これによって、第２の延出部９２３ｂは、上方から見て、回路基板９０２が存在しない領域に延在する。なお、図７では、第２の延出部９２３ｂが開口部９３６の前方の外縁部よりも後方へ突き出して延びる例を示している。
【０１１８】
第３の接続部材９０３ｃは、実施の形態１と同様の第３の基板取付部１２２ｃと、本変形例に特徴的な第３の延出部９２３ｃとを含む。
【０１１９】
本変形例では第３の延出部９２３ｃは、回路基板９０２の側方、より詳細には開口部９３６の内方へ突き出して延びている。これにより、第３の延出部９２３ｃは、上方から見て、回路基板９０２が存在しない領域に延在する。なお、図７では、第３の延出部９２３ｃが開口部９３６の前方の外縁部よりも後方へ突き出して延びる例を示している。
【０１２０】
第４の接続部材９０３ｄは、回路基板９０２と第１のコイル１１２ａとに取り付けられる部材であり、回路基板９０２に設けられた回路パターンと第１のコイル１１２ａとを互いに電気的に接続する。第４の接続部材９０３ｄは、第４の基板取付部９２２ｄと第４の延出部９２３ｄとを含む。
【０１２１】
第４の基板取付部９２２ｄは、回路基板９０２に取り付けられる部位であって、上下に貫通した孔を有する。第４の基板取付部９２２ｄの孔に挿設されたネジ９２４ｄがネジ端子９２１ｄとネジ構造で係合することによって、第４の基板取付部９２２ｄは回路基板９０２に固定されるとともに回路基板９０２に設けられた回路パターン１２０に電気的に接続される。
【０１２２】
第４の延出部９２３ｄは、第４の基板取付部９２２ｄと連続して設けられており、回路基板９０２の側方、より詳細には開口部９３６の内方へ突き出して延びている。これにより、第４の延出部９２３ｄは、上方から見て、回路基板９０２が存在しない領域に延在する。なお、図７では、第４の延出部９２３ｄが開口部９３６の後端部よりも前方へ突き出して延びる例を示している。
【０１２３】
また、第４の延出部９２３ｄには、第１のコイル１１２ａの他方の端子である入力端子１１４ａが半田付けなどにより取り付けられている。これにより、第４の接続部材９０３ｄは、ノイズフィルタ１０１に対する位置が固定されるとともに、第１のコイル１１２ａに電気的に接続される。
【０１２４】
第５の接続部材９０３ｅは、回路基板９０２と第２のコイル１１２ｂとに取り付けられる部材であり、回路基板９０２に設けられた回路パターンと第２のコイル１１２ｂとを互いに電気的に接続する。第５の接続部材９０３ｅは、第５の基板取付部９２２ｅと第５の延出部９２３ｅとを含む。
【０１２５】
第５の基板取付部９２２ｅは、回路基板９０２に取り付けられる部位であって、上下に貫通した孔を有する。第５の基板取付部９２２ｅの孔に挿設されたネジ９２４ｅがネジ端子９２１ｅとネジ構造によって係合することによって、第５の接続部材９０３ｅは回路基板９０２に固定されるとともに、回路基板９０２に設けられた回路パターンに電気的に接続される。
【０１２６】
第５の延出部９２３ｅは、第５の基板取付部９２２ｅと連続して設けられており、回路基板９０２の側方、より詳細には開口部９３６の内方へ突き出して延びている。これにより、第５の延出部９２３ｅは、上方から見て、回路基板９０２が存在しない領域に延在する。なお、図７では、第５の延出部９２３ｅが開口部９３６の後端部よりも前方へ突き出して延びる例を示している。
【０１２７】
また、第５の延出部９２３ｅには、第２のコイル１１２ｂの他方の端子である入力端子１１４ｂが半田付けなどにより取り付けられている。これにより、第５の接続部材９０３ｅは、ノイズフィルタ１０１に対する位置が固定されるとともに、第２のコイル１１２ｂに電気的に接続される。
【０１２８】
本変形例によれば、上方から見て回路基板９０２が存在しない領域に、第１のコイル１１２ａ及び第２のコイル１１２ｂが巻き回された絶縁ケース１１１を配置することができる。そして、第１のコイル１１２ａと第２のコイル１１２ｂとの各々を回路パターン１２０に電気的に接続することができる。
【０１２９】
そのため、上述の比較例に係るノイズフィルタ実装構造（図４参照）とは異なり、ノイズフィルタ１０１の動作時における回路パターン１２０間の容量結合の影響を軽減し、ノイズ抑制効果の劣化を抑えることができる。従って、ノイズフィルタ１０１を回路基板９０２に実装した場合にコモンモードノイズを良好に抑制することが可能になる。
【０１３０】
本変形例によれば、ノイズフィルタ１０１を上方から見て回路基板９０２の中に配置して、ノイズフィルタ実装構造９００をコンパクトにすることができる。従って、ノイズフィルタ１０１を回路基板９０２にコンパクトに実装して、コモンモードノイズを良好に抑制することが可能になる。
【０１３１】
（実施の形態２）
実施の形態１ではノイズフィルタ１０１が上方から見て回路基板１０２の外に配置される例を説明した。本実施の形態では台座部材１０６の突出部１１６が回路基板１０２に取り付けられる例を説明する。
【０１３２】
本発明の実施の形態２に係るノイズフィルタ実装構造１０００は、図８に示すように、実施の形態１と同様のノイズフィルタ１０１、第１の接続部材１０３ａ及び第２の接続部材１０３ｂを備える。また、ノイズフィルタ実装構造１０００は、実施の形態１に係る回路基板１０２に代わる回路基板１００２を備える。
【０１３３】
なお、ノイズフィルタ実装構造１０００は、実施の形態１に係るノイズフィルタ実装構造１００とは異なり、第３の接続部材１０３ｃを備えなくてよい。
【０１３４】
本実施の形態に係る回路基板１００２は、図８に示すように、上下方向に貫通した接地端子用孔１０２４をさらに含む。この点を除いて、回路基板１００２は、実施の形態１に係る回路基板１０２と同様に構成される。
【０１３５】
接地端子用孔１０２４は、接地端子１１０が挿設される孔である。接地端子用孔１０２４に上方から挿入された接地端子１１０は、回路基板１００２の下面から突き出た部分が半田付けなどにより回路基板１００２に取り付けられる。これにより、接地端子１１０は、回路パターン１２０に電気的に接続されるとともに回路基板１００２に固定される。
【０１３６】
接地端子用孔１０２４は、上方から見て、回路基板１００２の外縁部からの距離が突出部１１６の長さよりも短い範囲に設けられる。ここで、突出部１１６の長さとは、突出部１１６が台座部１１５から突き出す長さを意味する。これにより、上方から見て回路基板１００２が存在しない領域に、第１のコイル１１２ａ及び第２のコイル１１２ｂが巻き回された絶縁ケース１１１を配置することができる。
【０１３７】
本実施の形態では突出部１１６が、接着剤での接着などにより回路基板１００２に取り付けられる。
【０１３８】
なお、本実施の形態では第１のコイル１１２ａ及び第２のコイル１１２ｂのそれぞれの出力端子１１３ａ，１１３ｂが台座部材１０６の上方にまで設けられる。台座部材１０６の上方の出力端子１１３ａ，１１３ｂのそれぞれに、図８（ｂ）に示すように、第１の接続部材１０３ａと第２の接続部材１０３ｂとが半田付けにより取り付けられる。
【０１３９】
本実施の形態によれば、上方から見て回路基板１００２が存在しない領域に、第１のコイル１１２ａ及び第２のコイル１１２ｂが巻き回された絶縁ケース１１１を配置することができる。そして、第１のコイル１１２ａと第２のコイル１１２ｂとの各々を回路パターン１２０に電気的に接続することができる。
【０１４０】
そのため、上述の比較例に係るノイズフィルタ実装構造（図４参照）とは異なり、ノイズフィルタ１０１の動作時における回路パターン１２０間の容量結合の影響を軽減し、ノイズ抑制効果の劣化を抑えることができる。従って、ノイズフィルタ１０１を回路基板１００２に実装した場合にコモンモードノイズを良好に抑制することが可能になる。
【０１４１】
本実施の形態では、突出部１１６が回路基板１００２に取り付けられる。これにより、ノイズフィルタ１０１をより強固に回路基板１００２に固定することができる。従って、振動、衝撃などにより強いノイズフィルタ実装構造１０００を提供することが可能になる。
【０１４２】
本実施の形態では、突出部１１６に設けられた接地端子１１０が直接的に回路パターン１２０に電気的に接続されている。実施の形態１とは異なり第３の接続部材１０３ｃを介さないので、より簡易な構成のノイズフィルタ実装構造１０００を提供することが可能になる。
【０１４３】
（変形例１２）
変形例１２に係るノイズフィルタ実装構造１１００は、図９の平面図に示すように、回路基板１００２に代わる回路基板１１０２を備える。この点を除いて、ノイズフィルタ実装構造１１００は、実施の形態２に係るノイズフィルタ実装構造１０００と同様に構成される。
【０１４４】
回路基板１１０２は、実施の形態２と同様の接地端子用孔１０２４をさらに含む。本変形例では接地端子用孔１０２４は、上方から見て、切欠き部８３５からの距離が突出部１１６の長さよりも短い範囲に設けられる。この点を除いて、回路基板１１０２は、変形例１０に係る回路基板８０２と同様に構成される。
【０１４５】
なお、本変形例においても突出部１１６が、接着剤での接着などにより回路基板１１０２に取り付けられてもよい。
【０１４６】
本変形例によっても、実施の形態２と同様の効果を奏する。
【０１４７】
また本変形例によれば、ノイズフィルタ１０１の少なくとも一部が上方から見て切欠き部８３５に収容される。これにより、ノイズフィルタ実装構造１１００をコンパクトにすることができる。従って、ノイズフィルタ１０１を回路基板１１０２にコンパクトに実装して、コモンモードノイズを良好に抑制することが可能になる。
【０１４８】
（変形例１３）
変形例１３に係るノイズフィルタ実装構造１２００は、図１０の平面図に示すように、実施の形態２の回路基板１００２に代わる回路基板１２０２を備える。また、ノイズフィルタ実装構造１２００は、実施の形態２に係る第１の接続部材１０３ａ及び第２の接続部材１０３ｂに代えて、変形例１１と同様の第１の接続部材９０３ａ及び第２の接続部材９０３ｂを備える。さらに、ノイズフィルタ実装構造１２００は、変形例１１と同様の第４の接続部材９０３ｄ及び第５の接続部材９０３ｅを備える。
【０１４９】
これらの点を除いて、ノイズフィルタ実装構造１２００は、実施の形態２に係るノイズフィルタ実装構造１０００と同様に構成される。
【０１５０】
回路基板１２０２は、実施の形態２と同様の接地端子用孔１０２４をさらに含む。本変形例では接地端子用孔１０２４は、上方から見て、開口部９３６からの距離が突出部１１６の長さよりも短い範囲に設けられる。
【０１５１】
これらの点を除いて、回路基板１２０２は、変形例１１に係る回路基板９０２と同様に構成される。
【０１５２】
なお、本変形例では第１のコイル１１２ａ及び第２のコイル１１２ｂのそれぞれの入力端子１１４ａ，１１４ｂが台座部材１０６の上方にまで設けられる。台座部材１０６の上方の入力端子１１４ａ，１１４ｂのそれぞれに、第４の接続部材９０３ｄと第５の接続部材９０３ｅとが半田付けにより取り付けられる。
【０１５３】
本変形例によっても、実施の形態２と同様の効果を奏する。
【０１５４】
本変形例によれば、ノイズフィルタ１０１を上方から見て回路基板１２０２の中に配置して、ノイズフィルタ実装構造１２００をコンパクトにすることができる。従って、ノイズフィルタ１０１を回路基板１２０２にコンパクトに実装して、コモンモードノイズを良好に抑制することが可能になる。
【０１５５】
（実施の形態３）
実施の形態２では、接地端子１１０が第３の接続部材１０３ｃを介さずに回路基板１０２に直接的に取り付けられる例を説明した。本実施の形態では、接地端子１１０に加えて、出力端子１１３ａ，１１３ｂが第１の接続部材１０３ａと第２の接続部材１０３ｂとを介さずに直接的に取り付けられる例を説明する。
【０１５６】
本発明の実施の形態３に係るノイズフィルタ実装構造１３００は、図１１に示すように、実施の形態１と同様のノイズフィルタ１０１と、実施の形態１に係る回路基板１０２に代わる回路基板１３０２とを備える。
【０１５７】
なお、ノイズフィルタ実装構造１３００は、実施の形態１に係るノイズフィルタ実装構造１００とは異なり、第１の接続部材１０３ａ、第２の接続部材１０３ｂ及び第３の接続部材１０３ｃを備えなくてよい。
【０１５８】
本実施の形態に係る回路基板１３０２は、図１１に示すように、上下方向に貫通した第１の端子用孔１３２５ａ、第２の端子用孔１３２５ｂ及び接地端子用孔１３２４をさらに含む。回路基板１３０２は、実施の形態１に係る回路基板１０２とは異なり、２つのネジ端子１２１ａ，１２１ｂを備えなくてよい。これらの点を除いて、回路基板１３０２は、実施の形態１に係る回路基板１０２と同様に構成される。
【０１５９】
第１の端子用孔１３２５ａは、第１のコイル１１２ａの一方の端子としての出力端子１１３ａが挿設される孔である。
【０１６０】
第１の端子用孔１３２５ａに上方から挿入された出力端子１１３ａは、回路基板１３０２の下面から突き出た部分が半田付けなどにより回路基板１３０２に接続される。これにより、出力端子１１３ａは、回路パターン１２０に電気的に接続されるとともに回路基板１３０２に固定される。
【０１６１】
第２の端子用孔１３２５ｂは、第２のコイル１１２ｂの一方の端子としての出力端子１１３ｂが挿入して配置される孔である。
【０１６２】
第２の端子用孔１３２５ｂに上方から挿入された出力端子１１３ｂは、回路基板１３０２の下面から突き出た部分が半田付けなどにより回路基板１３０２に接続される。これにより、出力端子１１３ｂは、回路パターン１２０に電気的に接続されるとともに回路基板１３０２に固定される。
【０１６３】
接地端子用孔１３２４は、実施の形態２に係る接地端子用孔１０２４と同様に、接地端子１１０が挿設される孔である。接地端子１１０は、実施の形態２と同様の方法で、回路基板１３０２に設けられた回路パターンに電気的に接続されるとともに回路基板１３０２に固定される。
【０１６４】
第１の端子用孔１３２５ａ及び第２の端子用孔１３２５ｂの各々は、回路基板１３０２の外縁部の近傍に設けられる。接地端子用孔１３２４は、第１の端子用孔１３２５ａ及び第２の端子用孔１３２５ｂのそれぞれに出力端子１１３ａ，１１３ｂを挿入したときの接地端子１１０の位置に対応付けて設けられる。
【０１６５】
ここで、回路基板１３０２の外縁部の近傍とは、上方から見て、回路基板１３０２の外縁部からの距離が端子間距離よりも短い範囲を意味する。端子間距離とは、出力端子１１３ａと入力端子１１４ａとの間の距離、或いは、出力端子１１３ｂと入力端子１１４ｂとの間の距離である。これによれば、上方から見て回路基板１００２が存在しない領域に、第１のコイル１１２ａ及び第２のコイル１１２ｂが巻き回された絶縁ケース１１１の少なくとも一部を配置することができる。
【０１６６】
好ましくは、第１の端子用孔１３２５ａ及び第２の端子用孔１３２５ｂの各々は、上方から見て、回路基板１３０２の外縁部からの距離が端子間距離の半分以下の範囲に設けられる。これによれば、上方から見て回路基板１３０２が存在しない領域に、第１のコイル１１２ａ及び第２のコイル１１２ｂが巻き回された絶縁ケース１１１の概ね半分以上を配置することができる。
【０１６７】
突出部１１６と台座部１１５の一部とは、接着剤での接着などにより回路基板１３０２に取り付けられる。
【０１６８】
本実施の形態によれば、上方から見て回路基板１３０２が存在しない領域に、第１のコイル１１２ａ及び第２のコイル１１２ｂが巻き回された絶縁ケース１１１の少なくとも一部を配置することができる。そして、第１のコイル１１２ａと第２のコイル１１２ｂとの各々を回路パターン１２０に電気的に接続することができる。
【０１６９】
そのため、上述の比較例に係るノイズフィルタ実装構造（図４参照）とは異なり、ノイズフィルタ１０１の動作時における回路パターン１２０間の容量結合の影響を軽減し、ノイズ抑制効果の劣化を抑えることができる。従って、ノイズフィルタ１０１を回路基板１３０２に実装した場合にコモンモードノイズを良好に抑制することが可能になる。
【０１７０】
本実施の形態では、突出部１１６と台座部１１５の一部とが回路基板１３０２に取り付けられる。これにより、ノイズフィルタ１０１をより強固に回路基板１３０２に固定することができる。従って、振動、衝撃などにより強いノイズフィルタ実装構造１３００を提供することが可能になる。
【０１７１】
本実施の形態では、突出部１１６に設けられた接地端子１１０が直接的に回路パターン１２０に電気的に接続されている。実施の形態１とは異なり第３の接続部材１０３ｃを介さないので、より簡易な構成のノイズフィルタ実装構造１３００を提供することが可能になる。
【０１７２】
本実施の形態では、出力端子１１３ａ及び１１３ｂが直接的に回路パターン１２０に電気的に接続されている。実施の形態１とは異なり第１の接続部材１０３ａ及び第２の接続部材１０３ｂを介さないので、より一層簡易な構成のノイズフィルタ実装構造１３００を提供することが可能になる。
【０１７３】
（変形例１４）
変形例１４に係るノイズフィルタ実装構造１４００は、図１２の平面図に示すように、回路基板１３０２に代わる回路基板１４０２を備える。この点を除いて、ノイズフィルタ実装構造１４００は、実施の形態３に係るノイズフィルタ実装構造１３００と同様に構成される。
【０１７４】
回路基板１４０２は、実施の形態３と同様の第１の端子用孔１３２５ａ、第２の端子用孔１３２５ｂ及び接地端子用孔１３２４をさらに含む。本変形例では第１の端子用孔１３２５ａ及び第２の端子用孔１３２５ｂの各々は、回路基板１４０２の切欠き部８３５の近傍に設けられる。回路基板１４０２は、２つのネジ端子１２１ａ，１２１ｂを備えていない。これらの点を除いて、回路基板１４０２は、変形例１０に係る回路基板８０２と同様に構成される。
【０１７５】
なお、突出部１１６と台座部１１５の一部とが、接着剤での接着などにより回路基板１４０２に取り付けられるとよい。
【０１７６】
本変形例によっても、実施の形態３と同様の効果を奏する。
【０１７７】
また本変形例によれば、ノイズフィルタ１０１の少なくとも一部が上方から見て切欠き部８３５に収容される。これにより、ノイズフィルタ実装構造１４００をコンパクトにすることができる。従って、ノイズフィルタ１０１を回路基板１４０２にコンパクトに実装して、コモンモードノイズを良好に抑制することが可能になる。
【０１７８】
（変形例１５）
変形例１５に係るノイズフィルタ実装構造１５００は、図１３の平面図に示すように、回路基板１３０２に代わる回路基板１５０２を備える。また、ノイズフィルタ実装構造１５００は、変形例１１と同様の第４の接続部材９０３ｄ及び第５の接続部材９０３ｅを備える。
【０１７９】
これらの点を除いて、ノイズフィルタ実装構造１５００は、実施の形態３に係るノイズフィルタ実装構造１３００と同様に構成される。
【０１８０】
回路基板１５０２は、実施の形態２と同様の第１の端子用孔１３２５ａ、第２の端子用孔１３２５ｂ及び接地端子用孔１３２４をさらに含む。本変形例では第１の端子用孔１３２５ａ及び第２の端子用孔１３２５ｂの各々は、開口部９３６の近傍に設けられる。回路基板１５０２は、２つのネジ端子１２１ａ，１２１ｂを備えていない。
【０１８１】
これらの点を除いて、回路基板１５０２は、変形例１１に係る回路基板９０２と同様に構成される。
【０１８２】
本変形例によっても、実施の形態３と同様の効果を奏する。
【０１８３】
本変形例によれば、ノイズフィルタ１０１を上方から見て回路基板１５０２の中に配置して、ノイズフィルタ実装構造１５００をコンパクトにすることができる。従って、ノイズフィルタ１０１を回路基板１５０２にコンパクトに実装して、コモンモードノイズを良好に抑制することが可能になる。
【０１８４】
以上、本発明の実施の形態、変形例などについて説明したが、本発明は、これらに限定されるものではない。本発明は、例えば、実施の形態に変更を加えた態様、実施の形態と変形例とを適宜組み合わせた態様、この態様に適宜変更を加えた態様などを含む。
【産業上の利用可能性】
【０１８５】
本発明に係るノイズフィルタ実装構造は、コモンモード用のノイズフィルタを回路基板に実装するために有用である。
【符号の説明】
【０１８６】
１００，８００，９００，１０００，１１００，１２００，１３００，１４００，１５００  ノイズフィルタ実装構造
１０１  ノイズフィルタ
１０２，８０２，９０２，１００２，１１０２，１２０２，１３０２，１４０２，１５０２  回路基板
１０３ａ，９０３ａ  第１の接続部材
１０３ｂ，９０３ｂ  第２の接続部材
１０３ｃ，９０３ｃ  第３の接続部材
９０３ｄ  第４の接続部材
９０３ｅ  第５の接続部材
１０５，２０５，３０５，４０５，５０５，６０５，７０５  フィルタ素子
１０６  台座部材
１０７  固定部材
１０８  磁気コア
１０９ａ，１０９ｂ，３０９  導電体
１１０ａ，１１０ｂ，３１０  接地端子
１１１  絶縁ケース
１１２ａ  第１のコイル
１１２ｂ  第２のコイル
１１３ａ，１１３ｂ  出力端子
１１４ａ，１１４ｂ  入力端子
１１５  台座部
１１６  突出部
１２０  回路パターン
１２２ａ  第１の基板取付部
１２２ｂ  第２の基板取付部
１２２ｃ  第３の基板取付部
１２３ａ，９２３ａ  第１の延出部
１２３ｂ，９２３ｂ  第２の延出部
１２３ｃ，９２３ｃ  第３の延出部
２２５  誘電体
８３５  切欠き部
９０３ｄ  第４の接続部材
９０３ｅ  第５の接続部材
９３６  開口部
９２２ｄ  第４の基板取付部
９２２ｅ  第５の基板取付部
９２３ｄ  第４の延出部
９２３ｅ  第５の延出部
【図１】
2019161252.tif 000003
【図２】
2019161252.tif 000004
【図３】
2019161252.tif 000005
【図４】
2019161252.tif 000006
【図５】
2019161252.tif 000007
【図６】
2019161252.tif 000008
【図７】
2019161252.tif 000009
【図８】
2019161252.tif 000010
【図９】
2019161252.tif 000011
【図１０】
2019161252.tif 000012
【図１１】
2019161252.tif 000013
【図１２】
2019161252.tif 000014
【図１３】
2019161252.tif 000015